(57)【要約】【課題】      歩行者の歩行が妨げられることがなく、また、所望の広告効果が充分に奏される新規な構造の床貼付用広告シートを作成する方法を提供する。【解決手段】  （ａ）裏面に接着剤２により剥離シート３が貼着された印刷素材１を準備し、（ｂ）印刷素材の表面に所望の広告情報４を印刷し、（ｃ）印刷された印刷素材の周縁部内側に表側から閉ループ状に半抜き加工５を行ない、（ｄ）閉ループ状の半抜き加工部の外側部分の印刷素材１ａを除去し、（ｅ）外側部分が除去された印刷素材の表面に、印刷素材より大きい滑り止め表面保護材６を接着剤７を介して貼合わせ、（ｆ）重なった剥離シートおよび滑り止め表面保護材を印刷素材の外周で打ち抜き加工する。【選択図】    図１
2007279162.tif 000002
【特許請求の範囲】
【請求項１】
剥離シートと滑り止め表面保護材との間に該剥離シートおよび滑り止め表面保護材よりも小さい外周の印刷素材が挟まれており、該印刷素材の表面に所望の広告情報が印刷され、前記滑り止め表面保護材に設けられた接着剤により滑り止め表面保護材に貼合わされ、該印刷素材の裏面に設けた接着剤により前記剥離シートが貼合わされていることを特徴とする床貼付用広告シート。
【請求項２】
前記重なった剥離シートおよび滑り止め表面保護材が前記印刷素材の外周の外側の同位置で打ち抜き加工されていることを特徴とする請求項１に記載の床貼付用広告シート。
【請求項３】
前記剥離シートの周縁の少なくとも１箇所に剥離シートの剥離時に摘むことができる突出部が形成されていることを特徴とする請求項２に記載の床貼付用広告シート。
【請求項４】
前記滑り止め表面保護材が前記印刷素材の周縁の外側で且つ前記剥離シートの周縁の内側の位置で打ち抜き加工されていることを特徴とする請求１に記載の床貼付用広告シート。
【請求項５】
前記印刷素材の表面に印刷面保護フィルムが貼付けられていることを特徴とする請求項１〜４の何れか１項に記載の床貼付用広告シート。
【請求項６】
前記剥離シートに、対向する周縁間に延在するスリットが形成されていることを特徴とする請求項１〜５の何れか１項に記載の床貼付用広告シート。
【請求項７】
裏面に接着剤により剥離シートが貼着された印刷素材を準備し、該印刷素材の表面に所望の広告情報を印刷し、印刷された前記印刷素材の周縁部内側に表側から閉ループ状に半抜き加工を行ない、該閉ループ状の半抜き加工部の外側部分の印刷素材を除去し、外側部分が除去された印刷素材の表面に、印刷素材より大きい滑り止め表面保護材を接着剤を介して貼合わせ、重なった剥離シートおよび滑り止め表面保護材を前記印刷素材の外周で打ち抜き加工することを特徴とする床貼付用広告シートの作成方法。
【請求項８】
前記重なった剥離シートおよび滑り止め表面保護材を前記印刷素材の外周の外側の同位置で打ち抜き加工することを特徴とする請求項７に記載の床貼付用広告シートの作成方法。
【請求項９】
前記剥離シートの打ち抜き加工時に剥離シートの周縁の少なくとも１箇所に剥離シートの剥離時に摘むことができる突出部を形成することを特徴とする請求項８に記載の床貼付用広告シートの作成方法。
【請求項１０】
前記重なった剥離シートおよび滑り止め表面保護材を前記印刷素材の外周で打ち抜き加工する際に、該滑り止め表面保護材を該印刷素材の周縁の外側で且つ該剥離シートの周縁の内側の位置で打ち抜き加工することを特徴とする請求項７に記載の床貼付用広告シートの作成方法。
【請求項１１】
前記印刷素材の表面に滑り止め表面保護材を貼合わせるとともに該印刷素材の裏面に貼着された剥離シートに、対向する周縁間に延在するスリットを加工することを特徴とする請求項７〜１０の何れか１項に記載の床貼付用広告シートの作成方法。
【請求項１２】
前記外側部分が除去された印刷素材の表面に、印刷面保護フィルムを貼付け、該印刷面保護フィルムの表面に印刷素材より大きい前記滑り止め表面保護材を貼合わせることを特徴とする請求項１〜１１の何れか１項に記載の床貼付用広告シートの作成方法。
【発明の詳細な説明】
【技術分野】
【０００１】
本発明は、床貼付用広告シートおよび床貼付用広告シートの作成方法に関する。より詳しくは、本発明は、百貨店、スーパーマーケットなどの多数の商品を展示販売している店舗において、床に貼付して購買者に販売している商品の所在を示したり、また、通路の順路を案内するための新規な構造のシート、所謂案内ステッカー、およびこのような新規な構造の床貼付用広告シートを効率よく作成する方法に関する。
【背景技術】
【０００２】
百貨店、スーパーマーケットなどの平面的で広い大型店舗においては、顧客は目的とする商品の所在を探すのに苦労することが多い。その対策として、床面にステッカーを貼る方法が試みられている。しかし、従来のステッカーは着脱自在でなく、床面を汚してしまう構造であったり、段差があって歩行に不便となる欠点があった。
【０００３】
この対策として、特許文献１（実用新案登録第３０９７７７９号公報）には、ステッカー基材の片面に印刷面を形成し、印刷面の上に印刷面を保護するための保護層を設け、更にステッカー基材の別の面に床面に着脱自在に接着するための接着剤層を形成し、印刷面には方向を指示するための鋭角の外周部を有する指示部形成すると共に表面に文字や図柄を印刷することが開示されている。
【特許文献１】実用新案登録第３０９７７７９号公報
【発明の開示】
【発明が解決しようとする課題】
【０００４】
しかしながら、特許文献１に開示された案内ステッカーなどにおいては、一般的にステッカー基材に印刷面と保護層とを形成した状態で印刷面と保護層とを同時に同じ大きさに打ち抜いてステッカー基材の外周を形成している。
【０００５】
このため、床面に貼られた状態のステッカーにおいては、保護層の外周部が印刷面の外周と実質的に一致しており、歩行者の靴などが保護層に当たると保護層とともに印刷面の周縁部がめくれたりする。これにより、歩行者の歩行が妨げられたり、また、印刷面がめくれることにより、所望の広告効果が奏されなくなるという問題がある。
【０００６】
また、従来のステッカーは床面に貼付し易くするための配慮がされておらず、ステッカーを床面に綺麗に貼付することが難しく、そのため、往々にして、ステッカーにより所望の広告効果が奏されなくなるという問題がある。
【０００７】
本発明は、上述した従来技術に付随する問題を解消して、歩行者の歩行が妨げられることがなく、また、所望の広告効果が充分に奏される新規な構造の床貼付用広告シートを提供することを目的とする。更に、本発明は、このような新規な床貼付用広告シートを作成する方法を提供することを目的とする。
【課題を解決するための手段】
【０００８】
本発明においては、上記の目的を、剥離シートと滑り止め表面保護材との間に該剥離シートおよび滑り止め表面保護材よりも小さい外周の印刷素材が挟まれており、該印刷素材の表面に所望の広告情報が印刷され、前記滑り止め表面保護材に設けられた接着剤により滑り止め表面保護材に貼合わされ、該印刷素材の裏面に設けた接着剤により前記剥離シートが貼合わされていることを特徴とする床貼付用広告シートにより達成する。
【０００９】
また、本発明により、裏面に接着剤により剥離シートが貼着された印刷素材を準備し、該印刷素材の表面に所望の広告情報を印刷し、印刷された前記印刷素材の周縁部内側に表側から閉ループ状に半抜き加工を行ない、該閉ループ状の半抜き加工部の外側部分の印刷素材を除去し、外側部分が除去された印刷素材の表面に、印刷素材より大きい滑り止め表面保護材を接着剤を介して貼合わせ、重なった剥離シートおよび滑り止め表面保護材を前記印刷素材の外周で打ち抜き加工することを特徴とする床貼付用広告シートの作成方法が提供される。
【００１０】
この場合に、重なった剥離シートおよび滑り止め表面保護材が印刷素材の外周の外側の同位置で打ち抜き加工されていてもよく、このようにすると、一工程で剥離シートおよび滑り止め表面保護材を打ち抜き加工することができ、生産性がよい。
【００１１】
しかしながら、剥離シートおよび滑り止め表面保護材が同位置で打ち抜き加工されているために、印刷素材から剥離シートを剥離する際に、剥離シートの端部を摘み難いことがある。この対策として、剥離シートの周縁の少なくとも１箇所に剥離シートの剥離時に摘むことができる突出部が形成されていてもよい。
【００１２】
他の態様として、滑り止め表面保護材が印刷素材の周縁の外側で且つ剥離シートの周縁の内側の位置で打ち抜き加工されていてもよい。
【００１３】
印刷素材の表面は印刷したままの状態で滑り止め表面保護材を接着剤を介して貼合わせてもよいし、印刷素材の表面に印刷面保護フィルムが貼付けられていてもよい。印刷面保護フィルムが貼付けられると印刷面が一層美しく見え、また、印刷面が傷付きなどから保護される。
【００１４】
更に、剥離シートに、対向する周縁間に延在するスリットが形成されていることが好ましい。このようにすることにより、本発明の床貼付用広告シートを床に貼付する際に、剥離シートの一端部からスリット迄の領域を先ず除去して、印刷素材の裏面の接着剤および滑り止め表面保護材の裏面の接着剤により床貼付用広告シートの一部を床面に貼付し、その後、残りの剥離シートを除去して残りの床貼付用広告シートを床面に貼付することにより、床貼付用広告シートに波立ちや歪みを生じることなく美麗に床面に貼付することができる。
【発明の効果】
【００１５】
本発明においては、剥離シートと滑り止め表面保護材との間に剥離シートおよび滑り止め表面保護材よりも小さい外周の印刷素材が挟まれており、剥離シートを剥離して床面に貼付すると、歩行者の歩行が妨げられることがなく、印刷素材は周縁部および所望の広告情報が印刷された表面が滑り止め表面保護材により保護されており、印刷素材の周縁部が歩行者の歩行によって捲れたり、傷付くことがなく、また、印刷素材の表面の所望の広告情報が汚れることなく伝達できる。
【発明を実施するための最良の形態】
【００１６】
以下、本発明の実施例を図示した添付図面を参照して、本発明を詳細に説明する。図１は本発明に係る床貼付用広告シートの作成方法の一実施例を（ａ）〜（ｆ）の順番で時系列的に示しており、各部材の厚さは誇張して示している。
【００１７】
図１（ａ）に示すように、印刷素材１の裏面に接着剤２により剥離シート３が貼着された印刷素材１を準備する。なお、本発明の印刷素材１および剥離シート３を購入し、印刷素材１の裏面に接着剤２を塗布した上で、剥離シート３を貼着してもよいし、印刷素材１の裏面に接着剤２により剥離シート３が貼着されたものを購入して用いてもよい。
【００１８】
印刷素材１は表面に所望の広告情報を印刷できるものであれば特に限定されないが、オレフィン系素材または塩ビ基材などの合成紙が強度面から好ましい。
【００１９】
剥離シート３の材質としては、紙、フィルム、合成紙等を用いることができ、剥離シート３の表面にはシリコンが塗布されており、印刷素材１から容易に剥離シート３が剥離できるようにしている。
【００２０】
印刷素材１の裏面に剥離シート３を接着させる接着剤２としては、印刷素材１と剥離シート３の組み合わせに応じて、アクリル系接着剤、ウレタン系接着剤、エマルジョン系接着剤などを適宜選択して用いることができる。
【００２１】
次いで、図１（ｂ）に示すように、印刷素材１の表面に所望の広告情報４を印刷する。印刷方法の選定基準の一例としては、多量生産が必要で印刷の精細な表現を望むときにはオフセット印刷とし、小ロットの印刷が要求されたときや大判印刷が求められたときにはインクジェット印刷とし、印刷部の耐候性が求められたときにはシルク印刷とする。
【００２２】
このようにして印刷された印刷素材１の周縁部内側に、図１（ｃ）に示すように、印刷素材１の表側から公知の方法により閉ループ状に半抜き加工５を行なう。図１（ｃ）においては長方形形状の閉ループとしたが、円形、楕円形、その他の閉じたループであってもよい。
【００２３】
閉ループ状の半抜き加工５に沿ってカットすることにより、印刷素材１に切れ目を入れることができる。そして、図１（ｃ）に示すように、閉ループ状の半抜き加工部５の外側部分の印刷素材１ａを除去する。
【００２４】
次いで、図１（ｅ）に示すように、外側部分１ａが除去された印刷素材１の表面に、印刷素材１より大きい滑り止め表面保護材６を接着剤７を介して貼合わせる。
【００２５】
滑り止め表面保護材６としては、靴などの履物を履いた歩行者が上を歩いても痛まず、更に耐久性を備え、印刷素材１に印刷された広告情報が外部からよく見えること等を満たすことから、ポリオレフィン、ポリエステルなどの合成樹脂シートを用いることが好ましい。
【００２６】
また、印刷素材１と滑り止め表面保護材６を接着する接着剤７としてはアクリル系樹脂等の接着剤が好ましい。
【００２７】
図１（ｆ）に示すように、、重なった剥離シート３および滑り止め表面保護材６を印刷素材１の外周の位置で公知の方法により打ち抜き加工して、本発明の床貼付用広告シートを得る。
【００２８】
図１（ｆ）に示す実施例においては、滑り止め表面保護材６が印刷素材１の周縁の外側で且つ剥離シート３の周縁の内側の位置で打ち抜き加工されている。
【００２９】
剥離シート３を印刷素材１および滑り止め表面保護材６の裏面から剥離し、印刷素材１および滑り止め表面保護材６に塗布した接着剤により印刷素材１および滑り止め表面保護材６の裏面を床面に接着すると、印刷素材１は滑り止め表面保護材６により保護される。
【００３０】
この場合に、図２に示すように、重なった剥離シート３および滑り止め表面保護材６を印刷素材１の外周の外側の同位置で打ち抜き加工してもよい。このようにすると、一工程で剥離シート３および滑り止め表面保護材６を打ち抜き加工することができ、生産性がよい。
【００３１】
しかしながら、剥離シート３および滑り止め表面保護材６が同位置で打ち抜き加工されているために、印刷素材１から剥離シートを剥離する際に、剥離シート３の端部を摘み難いことがある。この対策として、剥離シート３の周縁の少なくとも１箇所に、剥離シート３の剥離時に摘むことができる適宜形状をした突出部３ａが形成されていることが好ましい。
【００３２】
印刷素材１の表面は印刷したままの状態で滑り止め表面保護材６を接着剤を介して貼合わせてもよいし、印刷素材１の表面に印刷面保護フィルムが貼付けられていてもよい。印刷面保護フィルムとしては、例えば１３μ程度の薄手のポリエステルフィルムが好ましい。印刷面保護フィルムが貼付けられると印刷素材１の印刷面が一層美しく見え、また、印刷素材１の印刷面が傷付きなどから保護される。
【００３３】
図３は剥離シート３を上に向けた斜視図であり、図３に示すように、剥離シート３には対向する周縁間に延在するスリット３ｂが形成されていることが好ましい。このようにすることにより、本発明の床貼付用広告シートを床に貼付する際に、剥離シート３の一端部からスリット３ｂ迄の領域を先ず除去して、印刷素材１の裏面の接着剤２および滑り止め表面保護材６の裏面の接着剤７により床貼付用広告シートの一部を床面に貼付し、その後、残りの剥離シート３を除去して残りの床貼付用広告シートを床面に貼付することにより、床貼付用広告シートに波立ちや歪みを生じることなく美麗に床面に貼付することができる。
【図面の簡単な説明】
【００３４】
【図１】本発明に係る床貼付用広告シートの作成方法の一実施例を（ａ）〜（ｆ）の順番で時系列的に示す斜視図であり、各部材の厚さは誇張して示している。
【図２】本発明に係る床貼付用広告シートの別の実施例を示す斜視図であり、各部材の厚さは誇張して示している。
【図３】本発明に係る床貼付用広告シートの剥離シートに形成するスリットを示す斜視図であり、各部材の厚さは誇張して示している。
【符号の説明】
【００３５】
１  印刷素材
１ａ  印刷素材の除去部分
２  接着剤
３  剥離シート
３ａ  突出部
３ｂ  スリット
４  広告情報
５  閉ループ状の半抜き加工部
６  滑り止め表面保護材
７  接着剤
【図１】
2007279162.tif 000003
【図２】
2007279162.tif 000004
【図３】
2007279162.tif 000005